【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
非特別遊技状態時に演出表示部上で表示される演出が所定の結果となった場合、非特別遊技状態よりも遊技者にとって有利な特別遊技状態に移行し得る、特別遊技状態である状況下における一単位遊技下では第一可変入賞口及び第二可変入賞口の内のいずれかのみが開放となるよう制御されるパチンコ遊技機において、
第一可変入賞口は、第一ソレノイドの励磁及び消磁により、開状態と閉状態に可変制御可能な第一可動部材を有し、
第二可変入賞口は、第二ソレノイドの励磁及び消磁により、開状態と閉状態に可変制御可能な第二可動部材を有し、
第一励磁信号の出力を行うことにより第一ソレノイドを励磁する一方、第二励磁信号の出力を行うことにより第二ソレノイドを励磁するよう構成されており、
特別遊技状態における所定の開放制御条件を充足した場合には、第一励磁信号又は第二励磁信号のいずれか一方の出力を行うことで、当該一方の出力に対応した第一ソレノイド又は第二ソレノイドを励磁して、第一可変入賞口又は第二可変入賞口を開放とするよう構成されており、
ある第一励磁信号の出力に先立ち第二可動部材が開状態にあるか否かを検出し、当該検出結果に基づき第二可動部材が開状態にあると判定した場合には、前記所定の開放制御条件を充足した場合であっても当該ある第一励磁信号の出力を行わず、また、ある第二励磁信号の出力に先立ち第一可動部材が開状態にあるか否かを検出し、当該検出結果に基づき第一可動部材が開状態にあると判定した場合には、前記所定の開放制御条件を充足した場合であっても当該ある第二励磁信号の出力を行わない不正防止処理を実行可能に構成されている
ことを特徴とするパチンコ遊技機。
【手続補正２】
【補正対象書類名】明細書
【補正対象項目名】０００４
【補正方法】変更
【補正の内容】
【０００４】
本発明は、特別遊技時に、一方の可変入賞口が開状態になっている場合に、他方の可変入賞口が開状態とならず、かつ、大掛かりな不正防止手段を設けなくても、極めて簡素な処理で実現可能な手段を提供することを目的とする。
【手続補正３】
【補正対象書類名】明細書
【補正対象項目名】０００５
【補正方法】変更
【補正の内容】
【０００５】
本発明は、
非特別遊技状態時に演出表示部上で表示される演出が所定の結果となった場合、非特別遊技状態よりも遊技者にとって有利な特別遊技状態に移行し得る、特別遊技状態である状況下における一単位遊技下では第一可変入賞口及び第二可変入賞口の内のいずれかのみが開放となるよう制御されるパチンコ遊技機において、
第一可変入賞口は、第一ソレノイドの励磁及び消磁により、開状態と閉状態に可変制御可能な第一可動部材を有し、
第二可変入賞口は、第二ソレノイドの励磁及び消磁により、開状態と閉状態に可変制御可能な第二可動部材を有し、
第一励磁信号の出力を行うことにより第一ソレノイドを励磁する一方、第二励磁信号の出力を行うことにより第二ソレノイドを励磁するよう構成されており、
特別遊技状態における所定の開放制御条件を充足した場合には、第一励磁信号又は第二励磁信号のいずれか一方の出力を行うことで、当該一方の出力に対応した第一ソレノイド又は第二ソレノイドを励磁して、第一可変入賞口又は第二可変入賞口を開放とするよう構成されており、
ある第一励磁信号の出力に先立ち第二可動部材が開状態にあるか否かを検出し、当該検出結果に基づき第二可動部材が開状態にあると判定した場合には、前記所定の開放制御条件を充足した場合であっても当該ある第一励磁信号の出力を行わず、また、ある第二励磁信号の出力に先立ち第一可動部材が開状態にあるか否かを検出し、当該検出結果に基づき第一可動部材が開状態にあると判定した場合には、前記所定の開放制御条件を充足した場合であっても当該ある第二励磁信号の出力を行わない不正防止処理を実行可能に構成されている
ことを特徴とするパチンコ遊技機である。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明によれば、特別遊技時に、一方の可変入賞口が開状態になっている場合に、他方の可変入賞口が開状態とならないので、不正に基づくホール及び他の遊技者の不利益を低減させることが可能になるという効果を奏する。
【手続補正６】
【補正対象書類名】明細書
【補正対象項目名】０００８
【補正方法】変更
【補正の内容】
【０００８】
ここで、本明細書における各用語の意義について説明する。まず、「非特別遊技状態」とは、遊技者にとって有利な特別遊技への移行抽選を行っている遊技状態を指し、通常遊技状態のみならず、前記通常遊技状態よりも高確率で特別遊技移行への抽選を行う確率変動遊技状態や、通常遊技状態よりも短時間で特別遊技移行への抽選を行う時間短縮遊技等の特定遊技をも含む。「演出」とは、遊技の興趣性を高める表示内容を指し、例えば、アニメーションや実写等の動画像や絵、写真等の静止画像又はこれらの組み合わせを挙げることができる。具体的には、識別情報の変動表示及び停止表示や、前記識別情報の変動表示又は停止表示を事前に報知又は示唆する予告表示を挙げることができる。ここで、「識別情報」とは、視覚的に認識可能なものであれば特に限定されず、例えば、数字、文字、図柄等を挙げることができる（例えば、装飾図柄や特別図柄）。「開状態」とは、遊技球が流入可能な状態や流入し易い状態を指し、「閉状態」とは、遊技球が流入不能な状態や遊技球が流入困難な状態を指す。「入賞」とは、賞球払出に関連する概念である。「乱数」とは、パチンコ遊技機において何らかの遊技内容を決定するための抽選（電子計算機によるくじ）に使用される乱数（遊技内容決定乱数）であり、例えば、遊技の結果に影響を与えるいわゆる「基本乱数」、具体的には、特別遊技の移行と関連した「当選乱数」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当たり図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一つの乱数（例えば当選乱数）が、別の乱数（例えば図柄決定乱数）を兼ねていてもよい。「乱数に基づき」とは、識別情報の変動内容や停止識別情報を当該乱数から直接的に決定する場合のみならず、当該乱数から直接決定された事項から間接的に決定する場合も包含する（例えば、停止図柄を乱数から直接決定し、当該停止図柄から変動内容を決定する場合や、特別図柄を乱数から直接決定し、当該特別図柄から装飾図柄を決定する場合や、識別情報の変動態様や停止識別情報に基づいて、予告の可否やその内容を決定する場合）。「識別情報の変動開始条件」とは、例えば、識別情報が変動中でないとか特別遊技中でないことを指す。以下、本発明の最良形態を説明する。尚、以下の最良形態は、従来の第１種パチンコ遊技機を二つ混在させたような機種であるが、これに限定されず、例えば他の遊技機（例えば、従来の第１種単独機や、従来の第１種の機能を二つと従来の第２種の機能を一つ有する遊技機）に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。